【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
ランプバルブと、該ランプバルブから射出された出射光を反射するリフレクタと、前記ランプバルブと前記リフレクタとを支持するランプベースと、該ランプベースと前記ランプバルブとの間の熱伝導を促進しかつ前記ランプバルブとランプベースとを電気的に絶縁するバルブパイプとを有し、前記ランプベースは、高熱伝導体の放熱フィンを有することを特徴とするランプ冷却装置。
【請求項２】
請求項１に記載のランプ冷却装置において、前記バルブパイプは、高熱伝導率材料で形成されていることを特徴とするランプ冷却装置。
【請求項３】
請求項２に記載のランプ冷却装置において、前記バルブパイプは、熱伝導率１７Ｗ／（ｍ・Ｋ）以上の材料を用いて形成されることを特徴とするランプ冷却装置。
【請求項４】
請求項１に記載のランプ冷却装置において、前記バルブパイプは、絶縁材料で形成されていることを特徴とするランプ冷却装置。
【請求項５】
請求項１乃至４のいずれか１に記載のランプ冷却装置において、前記バルブパイプは、セラミックス材料を用いて形成されることを特徴とするランプ冷却装置。
【請求項６】
請求項５に記載のランプ冷却装置において、前記セラミックス材料は、窒化ホウ素、窒化アルミ、及びアルミナのいずれかを用いていることを特徴とするランプ冷却装置。
【請求項７】
請求項１乃至６のいずれか１に記載のランプ冷却方式において、前記リフレクタと前記ランプバルブと前記ランプベースとは、熱伝導率４Ｗ／（ｍ・Ｋ）以上の材料を用いて固定されていることを特徴とするランプ冷却装置。
【請求項８】
請求項１又は２に記載のランプ冷却装置において、前記ランプベース材料は、高熱伝導率の金属材料で形成されていることを特徴とするランプ冷却装置。
【請求項９】
請求項１乃至８のいずれか１に記載のランプ冷却装置において、前記リフレクタの後部には通気口が設けられていることを特徴とするランプ冷却装置。
【請求項１０】
ランプ冷却装置おいて、ランプバルブから射出された出射光を反射するリフレクタの外面側を覆い、前記リフレクタ及びランプバルブと前記リフレクタとを支持するランプベースに固着された遮光板と、該遮光板に固定された伝熱のための熱輸送平板と、筐体の一部となるランプドアと、該ランプドアに熱伝熱させるために前記熱輸送平板と前記ランプドアとの間に配置されたクッション材とを有し、前記ランプドア表面から筐体外へ放熱することを特徴とするランプ冷却装置。
【請求項１１】
請求項１０に記載のランプ冷却装置において、前記遮光板及び前記熱輸送平板を形成する材料は、高熱伝導率の金属材料で形成されていることを特徴とするランプ冷却装置。
【請求項１２】
請求項１０又は１１に記載のランプ冷却装置において、前記ランプドアは、前記クッション材に接触して該熱輸送平板からの熱を奪い取る熱伝達面と、放熱のための放熱フィンとを有することを特徴とするランプ冷却装置。
【請求項１３】
請求項１０乃至１２のいずれか１に記載のランプ冷却装置において、前記クッション材を形成する材料は、グラファイト、及びシリコンの高熱伝導率材料の中から選択されていることを特徴とするランプ冷却装置。
【請求項１４】
請求項１０乃至１２のいずれか１に記載のランプ冷却装置において、前記熱輸送平板は、冷媒が封入された蛇行細管を内蔵した平板形状の熱輸送手段として構成されていることを特徴とするランプ冷却装置。
【請求項１５】
請求項１０又は１１に記載のランプ冷却装置において、前記遮光板の内面に、赤外光を吸収するための黒色焼付塗装又は黒色亜鉛メッキが施されていることを特徴とするランプ冷却装置。
【請求項１６】
請求項１乃至１５のいずれか１に記載のランプ冷却装置を用いたことを特徴とするプロジェクタ。
【手続補正２】
【補正対象書類名】明細書
【補正対象項目名】００１７
【補正方法】変更
【補正の内容】
【００１７】
第１の技術手段は、ランプバルブと、ランプバルブから射出された出射光を反射するリフレクタと、ランプバルブとリフレクタとを支持するランプベースと、ランプベースとランプバルブとの間の熱伝導を促進しかつランプバルブとランプベースとを電気的に絶縁するバルブパイプとを有し、ランプベースは、高熱伝導体の放熱フィンを有することを特徴としたものである。
【手続補正３】
【補正対象書類名】明細書
【補正対象項目名】００２４
【補正方法】変更
【補正の内容】
【００２４】
第８の技術手段は、第１又は第２の技術手段において、ランプベースは、高熱伝導率の金属材料で形成されていることを特徴としたものである。
第９の技術手段は、第１乃至第８のいずれか１の技術手段において、リフレクタの後部には通気口が設けられていることを特徴としたものである。
【手続補正４】
【補正対象書類名】明細書
【補正対象項目名】００２５
【補正方法】変更
【補正の内容】
【００２５】
第１０の技術手段は、ランプ冷却装置おいて、ランプバルブから射出された出射光を反射するリフレクタの外面側を覆い、リフレクタ及びランプバルブとリフレクタとを支持するランプベースに固着された遮光板と、遮光板に固定された伝熱のための熱輸送平板と、筐体の一部となるランプドアと、ランプドアに熱伝熱させるために熱輸送平板とランプドアとの間に配置されたクッション材とを有し、ランプドア表面から筐体外へ放熱することを特徴としたものである。
【手続補正５】
【補正対象書類名】明細書
【補正対象項目名】００２６
【補正方法】変更
【補正の内容】
【００２６】
第１１の技術手段は、第１０の技術手段において、遮光板及び熱輸送平板を形成する材料は、高熱伝導率の金属材料で形成されていることを特徴としたものである。
【手続補正６】
【補正対象書類名】明細書
【補正対象項目名】００２７
【補正方法】変更
【補正の内容】
【００２７】
第１２の技術手段は、第１０又は第１１の技術手段において、ランプドアは、クッション材に接触して熱輸送平板からの熱を奪い取る熱伝達面と、放熱のための放熱フィンとを有することを特徴としたものである。
【手続補正７】
【補正対象書類名】明細書
【補正対象項目名】００２８
【補正方法】変更
【補正の内容】
【００２８】
第１３の技術手段は、第１０乃至第１２のいずれか１の技術手段において、クッション材を形成する材料は、グラファイト、及びシリコンの高熱伝導率材料の中から選択されていることを特徴としたものである。
【手続補正８】
【補正対象書類名】明細書
【補正対象項目名】００２９
【補正方法】変更
【補正の内容】
【００２９】
第１４の技術手段は、第１０乃至第１２のいずれか１の技術手段において、熱輸送平板は、冷媒が封入された蛇行細管を内蔵した平板形状の熱輸送手段として構成されていることを特徴としたものである。
【手続補正９】
【補正対象書類名】明細書
【補正対象項目名】００３０
【補正方法】変更
【補正の内容】
【００３０】
第１５の技術手段は、第１０又は第１１の技術手段において、遮光板の内面に、赤外光を吸収するための黒色焼付塗装又は黒色亜鉛メッキが施されていることを特徴としたものである。
【手続補正１０】
【補正対象書類名】明細書
【補正対象項目名】００３１
【補正方法】変更
【補正の内容】
【００３１】
第１６の技術手段は、第１乃至１５のいずれか１に記載のランプ冷却装置を用いたことを特徴としたものである。